(57)【要約】【課題】スイッチング素子のスイッチング損失を低減し、出力電流のリプルを低減するインバータシステムを提供する。【解決手段】本発明は、三相交流電圧を直流電圧に変換する整流部と、直流電圧を直流リンク電圧に平滑する直流リンクコンデンサと、直流リンク電圧を交流電圧に変換し、交流電圧をモータに出力するインバータ部と、インバータ部の動作を制御する制御部とを含み、制御部は、インバータ部の動作中過負荷が印加されると、インバータ部が設定されたゼロベクトル状態に転換されるように制御する、インバータシステムを提供する。【選択図】図１
2018161043.tif 000002
【特許請求の範囲】
【請求項１】
三相交流電圧を直流電圧に変換する整流部と、
前記直流電圧を直流リンク電圧に平滑する直流リンクコンデンサと、
前記直流リンク電圧を交流電圧に変換し、前記交流電圧をモータに出力するインバータ部と、
前記インバータ部の動作を制御する制御部と、
を含み、
前記制御部は、前記インバータ部の動作中過負荷が印加されると、前記インバータ部が設定されたゼロベクトル状態に転換されるように制御する、インバータシステム。
【請求項２】
前記インバータ部は、上位スイッチ及び前記上位スイッチと並列連結された下位スイッチをそれぞれ含む３つのレッグを含み、
前記制御部は、前記過負荷印加時、前記３つのレッグに対応するベクトルに応じてゼロベクトルを選択し、前記ゼロベクトルに基づいて、前記３つのレッグのそれぞれに含まれた前記上位スイッチ及び前記下位スイッチを前記ゼロベクトル状態に転換されるように制御する、請求項１に記載のインバータシステム。
【請求項３】
前記ゼロベクトルは、前記上位スイッチ及び前記下位スイッチのスイッチング状態においてスイッチング転換回数が最も少ないベクトルである、請求項２に記載のインバータシステム。
【請求項４】
前記制御部は、前記上位スイッチ及び前記下位スイッチが前記ゼロベクトル状態であり、前記過負荷が解除されると、前記上位スイッチ及び前記下位スイッチが前記ゼロベクトル状態から正常状態に転換されるように制御する、請求項２に記載のインバータシステム。
【請求項５】
前記制御部は、前記３つのレッグに対応するベクトルが[０,１,１]、[１,０,１]または[１,１,０]である場合、前記ゼロベクトルを[１,１,１]に選択し、前記ゼロベクトルに応じて前記３つのレッグのそれぞれに含まれた前記上位スイッチのみがオンとなる前記ゼロベクトル状態に転換されるように制御する、請求項２に記載のインバータシステム。
【請求項６】
前記制御部は、前記３つのレッグに対応するベクトルが[０,０,１]、[０,１,０]または[１,０,０]である場合、前記ゼロベクトルを[０,０,０]に選択し、前記ゼロベクトルに応じて前記３つのレッグのそれぞれに含まれた前記上位スイッチ及び前記下位スイッチがオフとなる前記ゼロベクトル状態に転換されるように制御する、請求項２に記載のインバータシステム。
【請求項７】
インバータ部の動作中過負荷が印加されると、前記インバータ部の状態に応じて設定されたゼロベクトルを選択するステップと、
前記ゼロベクトルに応じて前記インバータ部をゼロベクトル状態に転換するステップと、
前記過負荷の印加が解除されると、前記インバータ部を前記ゼロベクトル状態から正常状態に転換するステップと、
を含む、インバータシステムの制御方法。
【請求項８】
前記インバータ部は、入力された直流リンク電圧を交流電圧に変換して出力する上位スイッチ及び前記上位スイッチと並列連結された下位スイッチをそれぞれ含む３つのレッグを含み、
前記ゼロベクトルを選択するステップは、前記上位スイッチ及び前記下位スイッチのスイッチング状態においてスイッチング転換回数が最も少ない前記ゼロベクトルを選択する、請求項７に記載のインバータシステムの制御方法。
【請求項９】
前記ゼロベクトルを選択するステップは、前記３つのレッグに対応するベクトルが[０,１,１]、[１,０,１]または[１,１,０]である場合、前記ゼロベクトルを[１,１,１]に選択する、請求項８に記載のインバータシステムの制御方法。
【請求項１０】
前記ゼロベクトル状態に転換するステップは、前記ゼロベクトルに応じて前記３つのレッグのそれぞれに含まれた前記上位スイッチのみがオンとなる前記ゼロベクトル状態に転換する、請求項９に記載のインバータシステムの制御方法。
【請求項１１】
前記ゼロベクトルを選択するステップは、前記３つのレッグに対応するベクトルが[０,０,１]、[０,１,０]または[１,０,０]である場合、前記ゼロベクトルを[０,０,０]に選択する、請求項８に記載のインバータシステムの制御方法。
【請求項１２】
前記ゼロベクトル状態に転換するステップは、前記ゼロベクトルに応じて前記３つのレッグのそれぞれに含まれた前記上位スイッチ及び前記下位スイッチがオフとなる前記ゼロベクトル状態に転換する、請求項１１に記載のインバータシステムの制御方法。
【請求項１３】
前記過負荷の印加が解除されないと、前記ゼロベクトル状態を維持するステップをさらに含む、請求項７に記載のインバータシステムの制御方法。
【発明の詳細な説明】
【技術分野】
【０００１】
本発明は、インバータシステム及びその制御方法に関するものである。
【背景技術】
【０００２】
一般的に、インバータは、商用交流電源を入力にして直流電源に変換してから、これを電動機に適合した交流電源に再変換して電動機に供給する電力変換装置である。このようなインバータは、電動機を効率的に制御することで、電動機の消耗電力を減らしエネルギー効率を上げる。
【０００３】
従来のインバータシステムでは、インバータに過負荷が印加されてインバータが過電流を出力することになると、インバータの制御部はインバータのスイッチング素子の出力ゲートを全て遮断することになる。
【０００４】
このとき、インバータのスイッチング素子のスイッチング変換が発生するが、オン状態にあるスイッチング素子の個数が多いほどスイッチング変換時に発生するスイッチング損失が大きくなる問題点がある。
【０００５】
また、スイッチング素子を全てオフさせる場合、インバータの出力電流のリプルが大きくなる問題点がある。
【発明の概要】
【発明が解決しようとする課題】
【０００６】
本発明が解決しようとする技術的課題は、インバータ部に過負荷印加時、インバータ部に含まれたスイッチング素子のスイッチング損失を低減し、出力電流のリプルを低減するインバータシステム及びその制御方法を提供することである。
【課題を解決するための手段】
【０００７】
本発明のインバータシステムは、三相交流電圧を直流電圧に変換する整流部と、前記直流電圧を直流リンク電圧に平滑する直流リンクコンデンサと、前記直流リンク電圧を交流電圧に変換し、前記交流電圧をモータに出力するインバータ部と前記インバータ部の動作を制御する制御部とを含み、前記制御部は、前記インバータ部の動作中過負荷が印加されると、前記インバータ部が設定されたゼロベクトル状態に転換されるように制御することができる。
【０００８】
前記インバータ部は、上位スイッチ及び前記上位スイッチと並列連結された下位スイッチをそれぞれ含む３つのレッグを含み、前記制御部は、前記過負荷印加時、前記３つのレッグに対応するベクトルに応じてゼロベクトルを選択し、前記ゼロベクトルに基づいて、前記３つのレッグのそれぞれに含まれた前記上位スイッチ及び前記下位スイッチを前記ゼロベクトル状態に転換されるように制御することができる。
【０００９】
前記ゼロベクトルは、前記上位スイッチ及び前記下位スイッチのスイッチング状態においてスイッチング転換回数が最も少ないベクトルである。
【００１０】
前記制御部は、前記上位スイッチ及び前記下位スイッチが前記ゼロベクトル状態であり、前記過負荷が解除されると、前記上位スイッチ及び前記下位スイッチが前記ゼロベクトル状態から正常状態に転換されるように制御することができる。
【００１１】
前記制御部は、前記３つのレッグに対応するベクトルが[０,１,１]、[１,０,１]または[１,１,０]である場合、前記ゼロベクトルを[１,１,１]に選択し、前記ゼロベクトルに応じて前記３つのレッグのそれぞれに含まれた前記上位スイッチのみがオンとなる前記ゼロベクトル状態に転換されるように制御することができる。
【００１２】
前記制御部は、前記３つのレッグに対応するベクトルが[０,０,１]、[０,１,０]または[１,０,０]である場合、前記ゼロベクトルを[０,０,０]に選択し、前記ゼロベクトルに応じて前記３つのレッグのそれぞれに含まれた前記上位スイッチ及び前記下位スイッチがオフとなる前記ゼロベクトル状態に転換されるように制御することができる。
【００１３】
本発明のインバータシステムの制御方法は、インバータ部の動作中過負荷が印加されると、前記インバータ部の状態に応じて設定されたゼロベクトルを選択するステップと、前記ゼロベクトルに応じて前記インバータ部をゼロベクトル状態に転換するステップと、前記過負荷の印加が解除されると、前記インバータ部を前記ゼロベクトル状態から正常状態に転換するステップとを含むことができる。
【００１４】
前記インバータ部は、入力された直流リンク電圧を交流電圧に変換して出力する上位スイッチ及び前記上位スイッチと並列連結された下位スイッチをそれぞれ含む３つのレッグを含み、前記ゼロベクトルを選択するステップは、前記上位スイッチ及び前記下位スイッチのスイッチング状態においてスイッチング転換回数が最も少ない前記ゼロベクトルを選択することができる。
【００１５】
前記ゼロベクトルを選択するステップは、前記３つのレッグに対応するベクトルが[０,１,１]、[１,０,１]または[１,１,０]である場合、前記ゼロベクトルを[１,１,１]に選択することができる。
【００１６】
前記ゼロベクトル状態に転換するステップは、前記ゼロベクトルに応じて前記３つのレッグのそれぞれに含まれた前記上位スイッチのみがオンとなる前記ゼロベクトル状態に転換することができる。
【００１７】
前記ゼロベクトルを選択するステップは、前記３つのレッグに対応するベクトルが[０,０,１]、[０,１,０]または[１,０,０]である場合、前記ゼロベクトルを[０,０,０]に選択することができる。
【００１８】
前記ゼロベクトル状態に転換するステップは、前記ゼロベクトルに応じて前記３つのレッグのそれぞれに含まれた前記上位スイッチ及び前記下位スイッチがオフとなる前記ゼロベクトル状態に転換することができる。
【００１９】
本発明のインバータシステムの制御方法は、前記過負荷の印加が解除されないと、前記ゼロベクトル状態を維持するステップをさらに含むことができる。
【発明の効果】
【００２０】
本発明のインバータシステム及びその制御方法は、インバータ部に過負荷印加時、インバータ部に含まれた上位スイッチ及び下位スイッチのスイッチング状態においてスイッチング転換回数が最も少ないゼロベクトルを選択し、ゼロベクトルに応じて上位スイッチ及び下位スイッチがゼロベクトル状態に転換されるように制御することで、上位スイッチ及び下位スイッチのスイッチング転換による損失及び電流リプルを減少させることができる。
【図面の簡単な説明】
【００２１】
【図１】本発明のインバータシステムの概略的な構成図である。
【図２】図１に示された制御部のベクトル制御方式を説明するための一例示図である。
【図３】本発明のインバータシステムの制御方法を説明するためのフローチャートである。
【発明を実施するための形態】
【００２２】
本発明の構成及び効果を十分に理解できるように、添付した図面を参照して本発明の好ましい実施例を説明する。なお、本発明は、以下に開示される実施例に限定されるものではなく、他の多様な形態で具現または多様な変更を加えることができる。ただし、本実施例に対する説明は、本発明の開示が完全となるようにし、本発明が属する技術分野で通常の知識を有した者に発明の範疇を分かりやすいように提供されるものである。添付された図面において、構成要素は説明の便宜を図りその大きさを実際より拡大図示したものであり、各構成要素の比率は、誇張または縮小されることがある。
【００２３】
以下、添付した図面を参照して本発明の好ましい実施例によって本発明を詳しく説明する。
【００２４】
図１は、本発明のインバータシステムの概略的な構成図である。
【００２５】
図１を参照すると、インバータ１は、整流部１０、直流リンクコンデンサ２０、インバータ部３０及び制御部４０を含むことができる。
【００２６】
整流部１０は、入力された三相交流電圧を直流電圧に変換することができる。
【００２７】
実施例で、整流部１０は、複数のダイオードを含み、複数のスイッチ素子が適用されるが、これに限定されるものではない。
【００２８】
直流リンクコンデンサ２０は、整流部１０で整流された直流電圧を平滑した直流リンク電圧をインバータ部３０に出力することができる。
【００２９】
インバータ部３０は、直流リンクコンデンサ２０から出力された直流リンク電圧を所定の大きさ及び周波数の交流電圧に変換して電動機２に出力することができる。
【００３０】
インバータ部３０は、交流電圧を出力する３つのレッグを含み、３つのレッグのそれぞれは、上位スイッチ３０ａ及び上位スイッチ３０ａと並列連結された下位スイッチ３０ｂを含むことができる。
【００３１】
即ち、３つのレッグのそれぞれは、Ｕ相、Ｖ相及びＷ相に対する交流電圧を電動機２に出力することができる。
【００３２】
制御部４０は、インバータ部３０を可変電圧可変周波数(Variable Voltage Variable Frequency；VVVF)方式またはベクトル制御方式で制御することができる。
【００３３】
実施例で、制御部４０は、ベクトル制御方式でインバータ部３０に含まれた３つのレッグのそれぞれの上位スイッチ３０ａ及び下位スイッチ３０ｂをオンまたはオフとなるように制御することができる。このようなベクトル制御方式において、制御部４０は、インバータ部３０の上位スイッチ３０ａ及び下位スイッチ３０ｂのスイッチ状態を、後述する図２に示したベクトル図によって制御することができる。
【００３４】
図２は、図１に示した制御部のベクトル制御方式を説明するための一例示図である。
【００３５】
図２は、制御部４０のベクトル制御方式を説明するためのベクトル図である。
【００３６】
図２を参照すると、制御部４０は、基準電圧がＡであり、正常状態である場合、インバータ部３０のＵ相、Ｖ相及びＷ相のそれぞれに該当する交流電圧を出力する３つのレッグのそれぞれに対応するベクトルを[１,１,０]に維持されるように制御信号を出力することができる。
【００３７】
即ち、ベクトルが[１,１,０]である場合、制御部４０は、３つのレッグのそれぞれに含まれた上位スイッチ３０ａ及び下位スイッチ３０ｂに対するオンまたはオフ状態を制御する制御信号を、上位スイッチ３０ａ及び下位スイッチ３０ｂに出力することができる。
【００３８】
ここで、制御部４０は、ベクトルが[１,１,０]である場合、「１」に該当する３つのレッグのうちＵ相及びＶ相交流電圧を出力する２つのレッグに含まれた上位スイッチ３０ａをオン状態及び下位スイッチ３０ｂをオフ状態に維持されるように制御することができる。
【００３９】
また、制御部４０は、「０」に該当する３つのレッグのうちＷ相交流電圧を出力する１つのレッグに含まれた上位スイッチ３０ａ及び下位スイッチ３０ｂがオフ状態に維持されるように制御することができる。
【００４０】
制御部４０は、インバータ部３０が正常状態での動作中過負荷が印加されると、図２に示されたベクトル図において、現在の３つのレッグのそれぞれに対応するベクトルを確認し、３つのレッグのそれぞれに含まれた上位スイッチ３０ａ及び下位スイッチ３０ｂのスイッチング転換回数が最も少ないゼロベクトルを選択することができる。
【００４１】
ゼロベクトルは、正常状態での上位スイッチ３０ａ及び下位スイッチ３０ｂのスイッチング状態からゼロベクトル状態に転換されるようにするためのベクトルである。
【００４２】
上述したように、制御部４０は、正常状態での３つのレッグのそれぞれに対応するベクトルが[１,１,０]であるとき過負荷が印加されると、３つのレッグのそれぞれに対応するゼロベクトルを[１,１,１]に選択することができる。
【００４３】
以後、制御部４０は、ゼロベクトルが[１,１,１]である場合、３つのレッグのそれぞれに含まれた上位スイッチ３０ａのみがオンとなるゼロベクトル状態に転換されるように制御することができる。
【００４４】
図３は、本発明のインバータシステムの制御方法を説明するためのフローチャートとして、図１のインバータシステムにおいて制御部４０がインバータ部３０を制御することを示すものである。
【００４５】
図３を参照すると、制御部４０は、インバータ１の運転のために、インバータ部３０をベクトル制御方式によって動作するように制御信号を出力することができる(Ｓ３１)。
【００４６】
以後、制御部４０は、インバータ部４０に過負荷が印加されると(Ｓ３２)、インバータ部４０の状態に応じて設定されたゼロベクトルを選択することができる(Ｓ３３)。
【００４７】
即ち、制御部４０は、インバータ部４０に過負荷が印加されると、インバータ部３０に含まれた三相レッグのそれぞれに対応するベクトルに応じて設定されたゼロベクトルを選択することができる。
【００４８】
例えば、制御部４０は、三相レッグのそれぞれに対応するベクトルが[０,１,１]、[１,０,１]または[１,１,０]である場合、三相レッグのそれぞれに含まれた上位スイッチ３０ａ及び下位スイッチ３０ｂのスイッチング転換回数が最も少ないゼロベクトルを[１,１,１]に選択することができる。
【００４９】
また、制御部４０は、３つのレッグに対応するベクトルが[０,０,１]、[０,１,０]または[１,０,０]である場合、三相レッグのそれぞれに含まれた上位スイッチ３０ａ及び下位スイッチ３０ｂのスイッチング転換回数が最も少ないゼロベクトルを[０,０,０]に選択することができる。
【００５０】
即ち、インバータ部３０のスイッチング素子のスイッチング動作中、例えばＶ相電流が過負荷動作電流に到達した場合、制御部４０は、スイッチング素子のスイッチング状態を確認し、[０,１,０]状態である場合、[１,１,１]ゼロベクトルの方がスイッチング状態の変化がより少ないと決定し、スイッチング素子のスイッチング状態をゼロベクトルに該当する[１,１,１]となるように制御することができる。
【００５１】
これによれば、従来のスイッチング素子をモードオフ状態である[０,０,０]に状態を転換していたことに比べて５０％のスイッチング損失を減らすことができ、過負荷状態が維持された後解除される場合、スイッチング損失の低減によって電流のリプルを減らすことができる。
【００５２】
ここで、ゼロベクトル[０,０,０]及び[１,１,１]は、図２の原点Ｂに該当するベクトルとして、実際同一に出力が発生しない状態である。
【００５３】
制御部４０は、ゼロベクトルに応じて３つのレッグのそれぞれに含まれた上位スイッチ３０ａ及び下位スイッチ３０ｂのスイッチング状態をゼロベクトル状態に転換することができる(Ｓ３４)。
【００５４】
即ち、制御部４０は、ゼロベクトルが[１,１,１]に選択すると、３つのレッグのそれぞれに含まれた上位スイッチ３０ａ及び下位スイッチ３０ｂのうち上位スイッチ３０ａのみがオンとなるゼロベクトル状態に転換されるように制御することができる。
【００５５】
即ち、制御部４０は、ゼロベクトルが[１,１,１]に選択すると、正常状態において３つのレッグのうちベクトルが「０」に該当するレッグに含まれた上位スイッチ３０ａのみがオフからオンに転換されるようにすることで、ゼロベクトル状態に転換することができ、スイッチング転換回数が１回へと減るように制御することができる。
【００５６】
また、制御部４０は、ゼロベクトルが[０,０,０]に選択すると、３つのレッグのそれぞれに含まれた上位スイッチ３０ａ及び下位スイッチ３０ｂを全てオフとなるゼロベクトル状態に転換されるように制御することができる。
【００５７】
即ち、制御部４０は、ゼロベクトルが[０,０,０]に選択すると、正常状態において３つのレッグのうちベクトルが「１」に該当するレッグに含まれた上位スイッチ３０ａのみがオンからオフに転換されるようにすることで、ゼロベクトル状態に転換することができ、スイッチング転換回数が１回へと減るように制御することができる。
【００５８】
以後、制御部４０は、インバータ部３０に過負荷の印加の有無を判断し(Ｓ３５)、過負荷の印加が解除されると、３つのレッグに含まれた上位スイッチ３０ａ及び下位スイッチ３０ｂがゼロベクトル状態から正常状態に転換されるように制御することができる(Ｓ３６)。
【００５９】
(Ｓ３５)ステップの判断の結果、制御部４０は、インバータ部３０に過負荷の印加が解除されないと、ゼロベクトル状態が維持されるように制御することができる(Ｓ３７)
本発明の一実施例の制御方法によれば、インバータの過負荷状態によって過電流が出力される場合、該スイッチング状態で最も変化が少ないゼロベクトルを選定し、該ゼロベクトルでインバータ部３０のスイッチング素子をオンまたはオフすることで、スイッチング損失を減らし、電流リプルを減らすことができる。
【００６０】
以上、本発明の実施例を説明したが、これは例示に過ぎず、本発明の技術分野で通常の知識を有した者であれば、これから多様な変形及び均等範囲の実施例が可能であることを理解できるだろう。よって、本発明の技術的保護範囲は、添付される特許請求の範囲によって決定されるべきである。
【符号の説明】
【００６１】
１：インバータ、２：電動機、１０：整流部、２０：直流リンクコンデンサ、３０：インバータ部、４０：制御部。
【図１】
2018161043.tif 000003
【図２】
2018161043.tif 000004
【図３】
2018161043.tif 000005